(57)【要約】【課題】演出部材を主たる玩具の近傍に配置することにより奥行感、臨場感、リアル感等を演出できる演出部材用の台座を提供する。【解決手段】各脚部材２０１、２０２、２０３は、各支軸２２１、２２２、２２３が互いに回動可能に連結される。また、脚部材２０に取り付けられる各支持棒３０１、３０２、３０３の長さ及び支持棒３０に設けられる支持部材４０の形態は、種々のものから選択的に用いることができる。このため、長さ、大きさ、及び形状のいずれかが異なる種々の支持棒３０、支持部材４０および演出部材５０を選択して組み合わせ、人型玩具Ｇ１，Ｇ２の近傍に載置することにより、人型玩具Ｇ１，Ｇ２によって表現されている情景の、奥行感、臨場感、リアル感等を演出することができる。【選択図】図１
2020168550.tif 000002
【特許請求の範囲】
【請求項１】
連結部と、当該連結部の外方に突出するとともに載置面に接触可能な脚部と、前記脚部に設けられた挿入孔と、を有する複数の脚部材と、
前記各挿入孔に挿入される支持棒と、
前記各支持棒に設けられた支持部と、
前記各支持部に支持される演出部材と、を備え、
前記各脚部材は、前記各連結部が互いに回動可能に連結され、
前記各支持棒は、長手方向長さ及び／または前記支持部の形態が異なる複数種類から選択的に前記各挿入孔に挿入され、
前記演出部材は、複数種類から選択的に前記各支持部に支持される演出部材用の台座。
【請求項２】
請求項１記載の演出部材用の台座であって、
前記連結部は支軸であり、
前記挿入孔は、前記支軸の軸線に対して平行であることを特徴とする演出部材用の台座。
【請求項３】
請求項１又は２記載の演出部材用の台座であって、
前記各脚部材は、前記各連結部が互いに入れ子上に組み合わせられて互いに回動可能に連結されることを特徴とする演出部材用の台座。
【請求項４】
請求項１乃至３のいずれか１項に記載の演出部材用の台座であって、
前記各脚部材は、前記脚部の突出長さが異なる複数種類から選択的に組み合わせられることを特徴とする演出部材用の台座。
【請求項５】
請求項１乃至４のいずれか１項記載の演出部材用の台座であって、
前記支持部は、前記支持棒に対して着脱可能である演出部材用の台座。
【請求項６】
請求項１乃至５のいずれか１項記載の演出部材用の台座であって、
前記脚部材、前記各支持棒及び前記各支持部のいずれかは、無色透明である演出部材用の台座。
【発明の詳細な説明】
【技術分野】
【０００１】
本発明は、演出部材用の台座に関する。
【背景技術】
【０００２】
従来、例えば２本脚の人型玩具を立った状態や所望の状態で飾るとき、自立させることが困難であるため、スタンド等の支持部材を用いるのが一般的である（特許文献１参照）。
特許文献１には、人型玩具を構成する胴部の背面に接続される複数の関節を有する支持部材と、支持部材を立設する台座部とを備えるフィギュア用ディスプレイスタンドが示されている。
【先行技術文献】
【特許文献】
【０００３】
【特許文献１】実用新案登録第３１６５３０９号公報
【発明の概要】
【発明が解決しようとする課題】
【０００４】
しかしながら、特許文献１に記載の支持部材では、人型玩具の足元に台座部を配置するため、台座部と人型玩具との位置関係について自由度が低く、展示効果を阻害する。
また、特許文献１に記載の支持部材は、人型玩具本体のみを支持するためのものであり、人型玩具に関連した演出効果を展示する場合には台座部と複数の関節が外観性を悪くし、適さない。
【０００５】
本発明は、演出部材を主たる玩具の近傍に配置することにより、主たる玩具によって表現されている情景の奥行感、臨場感、リアル感等を演出できる演出部材用の台座を提供することを目的とする。
【課題を解決するための手段】
【０００６】
本発明に係る演出部材用の台座は、連結部と、当該連結部の外方に突出するとともに載置面に接触可能な脚部と、前記脚部に設けられた挿入孔と、を有する複数の脚部材と、前記各挿入孔に挿入される支持棒と、前記各支持棒に連結される支持部と、前記各支持部に支持される演出部材と、を備え、前記各脚部材は、前記各連結部が回動可能に連結され、前記各支持棒は、長手方向長さ及び／または前記支持部の形態が異なる複数種類から選択的に前記各挿入孔に挿入され、前記演出部材は、複数種類から選択的に前記各支持部に支持されることを特徴とする。
【０００７】
また、本発明に係る演出部材用の台座においては、前記連結部は支軸であり、前記挿入孔は、前記支軸の軸線に対して平行であるようにしてもよい。
【０００８】
また、本発明に係る演出部材用の台座においては、前記各脚部材は、前記各連結部が互いに入れ子上に組み合わせられて互いに回動可能に連結されるようにしてもよい。
【０００９】
また、本発明に係る演出部材用の台座においては、前記各脚部材は、前記脚部の突出長さが異なる複数種類から選択的に組み合わせられるようにしてもよい。
【００１０】
また、本発明に係る演出部材用の台座においては、前記支持部は、前記支持棒に対して着脱可能であってもよい。
【００１１】
また、本発明に係る演出部材用の台座においては、前記脚部材、前記各支持棒及び前記各支持部材のいずれかは、無色透明であってもよい。
【発明の効果】
【００１２】
本発明によれば、演出部材を主たる玩具の近傍に配置することにより主たる玩具によって表現されている情景の奥行感、臨場感、リアル感等を演出できる演出部材用の台座を提供することができる。
【図面の簡単な説明】
【００１３】
【図１】本発明の実施形態である演出部材用の台座の使用状態の一形態を示す斜視図である。
【図２】本発明の実施形態である演出部材用の台座の一例を示す斜視図である。
【図３】本発明の実施形態である演出部材用の台座の一例を示す分解斜視図である。
【発明を実施するための形態】
【００１４】
［本発明の実施の形態］
図１は、本発明の実施形態である演出部材用の台座の使用状態の一形態を示す斜視図である。
【００１５】
図１に示すように、演出部材用の台座１０は、展示した人型玩具Ｇ１、Ｇ２の近傍に設置して演出部材を支持することに用いることができる。
ここでは、戦う２台の人型玩具Ｇ１、Ｇ２が展示されており、各人型玩具Ｇ１、Ｇ２にそれぞれ演出部材用の台座１０が設置されている。従って、第１の演出部材用の台座１１及び第２の演出部材用の台座１２の２台の演出部材用の台座１０が設置されている。
なお、図２及び図３の説明においては、特に明示する場合を除いて第１の演出部材用の台座１１及び第２の演出部材用の台座１２を区別せずに、演出部材用の台座１０として説明する。
【００１６】
図２及び図３に示すように、演出部材用の台座１０は、載置面６０に載置される複数の脚部材２０を有する。
ここでは、３個の脚部材２０を有する場合をして示しているが、２個の脚部材２０を有する場合及び３個以上の脚部材２０を有する場合も可能である。なお、３個以上の脚部材２０を有すると、台座として安定するため望ましい。
【００１７】
脚部材２０は、１本の脚部２１を有しており、脚部２１の長手方向一方の端部に支軸２２（本発明にいう「連結部」）を有するとともに、他方の端部には挿入孔２３１を有する。
脚部２１は載置面６０に載置されるため、下面が平坦な直線状の部材を用いるのが望ましい。例えば、底面が載置面６０に接触可能な三角形断面の部材を用いることができる。
【００１８】
支軸２２は、脚部２１の中心線を長手方向に延長した位置に設けられている。別言すれば、脚部２１（脚部材２０）は、支軸２２（連結部）に対して支軸２２（連結部）の外方に突出している。支軸２２は、脚部２１の底面と平行な面状を呈しており、各脚部材２０の支軸２２を介して、各脚部材２０が連結可能となっている。
例えば、最も下（すなわち、載置面６０側）に配置される脚部材２０１の支軸２２１は、下面が脚部２１の底面と同一面にある支軸板２４を有しており、支軸板２４の上面には、上方に突出する凸部２５が設けられている。
【００１９】
また、脚部材２０１の上側に取り付けられる脚部材２０２の支軸２２２（本発明にいう「連結部」）は、脚部材２０２の高さ方向の中央位置に支軸板２６が設けられている。支軸板２６には、支軸２２１の凸部２５が挿入可能な貫通孔２７が設けられている。
さらに、脚部材２０２の上側に取り付けられる脚部材２０３の支軸２２３（本発明にいう「連結部」）は、脚部材２０３の高さ方向の最上位置に、支軸板２８が設けられている。支軸板２８には、支軸２２１の凸部２５が挿入可能な貫通孔２９が設けられている。
なお、各脚部材２０１、２０２、２０３における脚部２１の長さは任意であり、種々の長さの脚部２１を有する脚部材２０１、２０２、２０３を用意しておけば、任意に組み合わせることができる。
【００２０】
従って、脚部材２０１の凸部２５に脚部材２０２の貫通孔２７を上側から外嵌し、さらに、脚部材２０２の上側から脚部材２０３の貫通孔２９を脚部材２０１の凸部２５に外嵌する。これにより、３個の脚部材２０１、２０２、２０３の支軸２２１、２２２、２２３が入れ子状に連結される。
このとき、凸部２５の外形を円筒状とし、貫通孔２７及び貫通孔２９を凸部２５の外径よりも大きな内径を有する円形とすることにより、３個の脚部材２０１、２０２、２０３は、支軸２２（本発明にいう「連結部」）を中心として着脱可能かつ回動可能に連結される（図２中矢印Ａ参照）。
これにより、脚部材２０１、２０２、２０３を相対的に回動できるので、脚部材２０１、２０２、２０３の相対的な角度を、主たる玩具である各人型玩具Ｇ１、Ｇ２に接触せず、かつ、台座として安定するような適切な角度に調節することが可能になる。
【００２１】
また、支軸板２４、支軸板２６及び支軸板２８の板厚及び設ける高さ位置を調整することにより、３個の脚部材２０１、２０２、２０３を組み合わせた際に、支軸２２（本発明にいう「連結部」）は全体として円筒形状を形成することができ、美観を損ねない。
なお、脚部材２０３の支軸板２８の下面に突起２８１を設けるとともに、脚部材２０２の支軸板２６の上面に突起２８１が嵌入して移動可能な円形の溝２６１を設けることもできる。これにより、脚部材２０２と脚部材２０３とを、相互に回動可能に連結することができる（図２中矢印Ａ参照）。
【００２２】
脚部２１の他方の端部には、脚部２１の中心線を長手方向に延長する位置に、例えば円筒形状の支持棒挿入部２３が設けられている。支持棒挿入部２３の中央部には、脚部材２０を載置面６０に載置した際に載置面６０と直交する方向に挿入孔２３１が設けられている。別言すれば、挿入孔２３１は支軸２２の軸線と平行な方向に設けられていることになる。
なお、脚部２１の一端に、挿入孔２３１を有する支持棒挿入部２３を設けた場合を説明したが、支持棒挿入部２３を設けることなく、挿入孔２３１を脚部２１に直接設けることも可能である。また、本実施形態においては挿入孔２３１は脚部材２０を載置面６０に載置した際に載置面６０と直交する方向に設けたが、これに限られず、挿入孔２３１の方向は任意に定めることができる。
【００２３】
脚部材２０の挿入孔２３１には、支持棒３０が挿入されて支持される。支持棒３０の下端部には挿入部３１及び鍔部３２が設けられている。挿入部３１は脚部材２０の挿入孔２３１に挿入され、鍔部３２との協働により、支持棒３０が動かないように支持される。支持棒３０は、無色透明の材料を用いて形成することができ、このことにより、主たる玩具である各人型玩具Ｇ１、Ｇ２を演出部材とともに鑑賞する上で、支持棒３０の存在が比較的見る者の注意を引かないようにすることができる。
【００２４】
支持棒３０の上端には、演出部材５０を支持するための支持部材４０（本発明にいう「支持部」）が連結される。支持部材４０は、支持棒３０の先端を挿入して支持棒３０に着脱可能に取り付ける取付部４１と、演出部材５０を保持する演出部材保持部４２を有する。
なお、支持部材４０は、支持棒３０と一体のものとして支持棒に設けられていてもよいことは勿論であるが、本実施形態のように、取付部４１を介して支持棒３０に着脱自在に取り付けるようにすれば、同じ支持棒３０でも、演出部材の形状に応じて支持部材４０を付け替えることできるようになり、利便性が高い。また、支持部材４０も無色透明の材料を用いて形成することができ、このことにより、主たる玩具である各人型玩具Ｇ１、Ｇ２を演出部材とともに鑑賞する上で、支持部材４０の存在が比較的見る者の注意を引かないようにすることができる。
【００２５】
演出部材５０としては、プレート状のものや、主たる玩具の付属物（切断された腕部等）等があるが、これに限定するものではない。
また、プレート状の演出部材５０としては、人型玩具が示す状況の説明、登場人物の台詞、効果音等の文字列を記載したプレートや、登場人物の表情を描いたプレート等が例示できる。
【００２６】
取付部４１は、例えば円筒部材を用いることができ、支持棒３０の先端を着脱可能に挿入する挿入孔４１１を有する。
演出部材保持部４２は、演出部材５０を保持するものであり、保持方法は特定しない。例えば、演出部材５０がプレート状である場合には、支持部材４０として演出部材５０を厚さ方向に挟むものを用いることができる。
【００２７】
あるいは、演出部材５０が切断された腕部５１（図１参照）のような物である場合には、腕部５１に設けられている嵌合孔５１１に嵌合可能な取付部材４３を演出部材保持部４２として用いることができる。
なお、図２においては、２個の取付部材４３を有する支持部材４０を例示しているが、取付部材４３は、１個あるいは３個以上でも可能である。
【００２８】
支持部材４０は、接続部材３３を介して支持棒３０の先端に取り付けることもできる。接続部材３３は、支持棒３０の先端を延長するように取り付ける延長部３３１と、異なる角度で屈曲され、先端が支持部材４０の取付部４１に取り付け可能な延長取付部３３２とを有する。なお、接続部材３３は支持棒３０に対して着脱可能であるとともに、支持部材４０に対しても着脱可能である。
接続部材３３は様々な角度のものが用意されており、この中から所望の角度の接続部材３３を選択することにより、支持部材４０で支持している演出部材５０の支持棒４０に対する取付角度を、容易に変えることができる。
【００２９】
図１には、本実施形態の演出部材用の台座１０を用いた状態の一例が示されている。ここでは、操縦者搭乗型の２個の人型玩具Ｇ１、Ｇ２が展示されており、人型玩具Ｇ１が保持している武器６１で、人型玩具Ｇ２の腕部５１を切断した状況が示されている。
人型玩具Ｇ１の近傍には、第１の演出部材用の台座１１が設置されており、人型玩具Ｇ２の近傍には、第２の演出部材用の台座１２が設置されている。なお、人型玩具Ｇ１、Ｇ２は、自立可能あるいは人型玩具用の支持部材（図示省略）で支持されており、演出部材用の台座１０では支持されてはいないが、演出部材用の台座１０で支持するようにしてもよい（図示省略）。
【００３０】
人型玩具Ｇ１の近傍に設置されている第１の演出部材用の台座１１では、２本の支持棒３０１、３０２の上部にプレート状の演出部材５０を支持するための支持部材４０１，４０２が取り付けられている。また、支持棒３０３の上部には、人型玩具Ｇ１によって切断された人型玩具Ｇ２の腕部５１を支持する支持部材４０が取り付けられている。
【００３１】
支持棒３０１には、プレート状の画像表示板５２が支持されており、例えば人型玩具Ｇ１に搭乗している操縦者の表情等を表示することができる。支持棒３０２には、プレート状の文字表示板５３が支持されており、人型玩具Ｇ１に登場している操縦者が云うセリフ等が表示されている。なお、画像表示板５２及び文字表示板５３は、印刷または刻印または印刷物を貼った板状の部材を用いることができるが、液晶表示板を用いることもできる。
また、支持棒３０３の上部には、切断された腕部５１が支持されている。
【００３２】
人型玩具Ｇ２の近傍に設置されている第２の演出部材用の台座１２は、上述した第１の演出部材用の台座１１と同様のものを用いることができる。ここでは、切断された腕部５１に該当するものはないので、第１の演出部材用の台座１１の支持棒３０３に対応する支持棒は設けられていない。また、短い支持棒３０１に文字表示板５３をとりつけ、長い支持棒３０２に画像表示板５２をとりつけている。
【００３３】
次に、本実施形態に係る演出部材用の台座１０の作用、効果について説明する。
本実施形態に係る演出部材用の台座１０は、各脚部材２０１、２０２、２０３は、各支軸２２１、２２２、２２３が互いに入れ子状に組み合わせられて回動可能に連結されるとともに、脚部２１の突出長さが異なる複数種類から選択的に組み合わせることができる。
また、脚部材２０に取り付けられる各支持棒３０１、３０２、３０３の長さ及び支持棒３０に取り付けられる支持部材４０の形態は、種々のものから選択的に用いることができる。
【００３４】
このため、長さ、大きさ、及び形状のいずれかが異なる種々の脚部材２０、支持棒３０、支持部材４０、および演出部材５０の中から所望のものを選択して組み合わせ、人型玩具Ｇ１，Ｇ２の近傍に載置することにより、人型玩具Ｇ１，Ｇ２によって表現されている情景の、奥行感、臨場感、リアル感等の効果を演出することができる。
【００３５】
また、本実施形態に係る演出部材用の台座１０においては、支持部材４０は、支持棒３０に対して着脱可能であってもよい。
これにより、種々の支持部材４０を容易に組み合わせることができる。
【００３６】
また、本実施形態に係る演出部材用の台座１０においては、支持部材４０は、支持棒３０と一体に形成されていてもよい。
これにより、支持棒３０を選択すると自ずと支持部材４０（支持部）の形状も決まることになるので、主たる玩具である人型玩具Ｇ１，Ｇ２の近傍に演出部材を配置する遊びに不慣れな使用者にとっては適切に演出部材を適切な位置に配置できるようになり遊びやすい。
【００３７】
さらに、本実施形態に係る演出部材用の台座１０においては、各脚部材２０、各支持棒３０及び各支持部材４０のいずれかが、無色透明であってもよい。
これにより、演出部材用の台座１０自体の存在感を希薄化でき、人型玩具Ｇ１、Ｇ２及び演出部材５０を目立たせることができるので、外観性が良くなり、奥行感、臨場感、リアル感等を演出することができる。
【００３８】
本発明の演出部材用の台座は、前述した実施形態に限定されるものでなく、適宜な変形，改良等が可能である。
【符号の説明】
【００３９】
１０  演出部材用の台座
２０、２０１、２０２、２０３  脚部材
２１  脚部
２２、２２１、２２２、２２３  支軸（連結部）
２３１  挿入孔
３０、３０１、３０２、３０３  支持棒
４０  支持部材（支持部）
５０  演出部材
６０  載置面
【図１】
2020168550.tif 000003
【図２】
2020168550.tif 000004
【図３】
2020168550.tif 000005
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
複数の挿入孔と、
前記各挿入孔に挿入される支持棒と、
前記各支持棒に設けられた支持部と、
前記各支持部に支持され、台詞、効果音等の文字列及び／または人物の表情が記載された演出部材と、を備え、
前記各挿入孔は載置面に接触可能な脚部により連結されている演出部材用の台座。
【請求項２】
請求項１記載の演出部材用の台座であって、
前記支持棒は、少なくとも長手方向長さが異なる複数種類から選択されて前記挿入孔に挿入されることを特徴とする演出部材用の台座。
【請求項３】
請求項１又は２記載の演出部材用の台座であって、
前記支持棒は、少なくとも前記支持部の形態が異なる複数種類から選択されて前記挿入孔に挿入されることを特徴とする演出部材用の台座。
【請求項４】
請求項１乃至３のいずれか１項に記載の演出部材用の台座であって、
前記演出部材は、複数種類から選択されて前記支持部に支持される演出部材用の台座。
【請求項５】
請求項１乃至４のいずれか１項記載の演出部材用の台座であって、
前記支持部は、前記支持棒に対して着脱可能である演出部材用の台座。
【請求項６】
請求項１乃至５のいずれか１項記載の演出部材用の台座であって、
前記各支持棒及び前記各支持部のいずれかは、無色透明である演出部材用の台座。
【手続補正２】
【補正対象書類名】明細書
【補正対象項目名】０００６
【補正方法】変更
【補正の内容】
【０００６】
本発明に係る演出部材用の台座は、連結部と、当該連結部の外方に突出するとともに載置面に接触可能な脚部と、前記脚部に設けられた挿入孔と、を有する複数の脚部材と、前記各挿入孔に挿入される支持棒と、前記各支持棒に連結される支持部と、前記各支持部に支持される演出部材と、を備え、前記各脚部材は、前記各連結部が回動可能に連結され、前記各支持棒は、長手方向長さ及び／または前記支持部の形態が異なる複数種類から選択的に前記各挿入孔に挿入され、前記演出部材は、複数種類から選択的に前記各支持部に支持されることを特徴とする。また、本発明に係る演出部材用の台座は、複数の挿入孔と、前記各挿入孔に挿入される支持棒と、前記各支持棒に設けられた支持部と、前記各支持部に支持され、台詞、効果音等の文字列及び／または人物の表情が記載された演出部材と、を備え、前記各挿入孔は載置面に接触可能な脚部により連結されている。
【手続補正３】
【補正対象書類名】明細書
【補正対象項目名】０００７
【補正方法】変更
【補正の内容】
【０００７】
また、本発明に係る演出部材用の台座においては、前記連結部は支軸であり、前記挿入孔は、前記支軸の軸線に対して平行であるようにしてもよい。また、本発明に係る演出部材用の台座においては、前記支持棒は、少なくとも長手方向長さが異なる複数種類から選択されて前記挿入孔に挿入されるようにしてもよい。
【手続補正４】
【補正対象書類名】明細書
【補正対象項目名】０００８
【補正方法】変更
【補正の内容】
【０００８】
また、本発明に係る演出部材用の台座においては、前記各脚部材は、前記各連結部が互いに入れ子上に組み合わせられて互いに回動可能に連結されるようにしてもよい。また、本発明に係る演出部材用の台座においては、前記支持棒は、少なくとも前記支持部の形態が異なる複数種類から選択されて前記挿入孔に挿入されるようにしてもよい。
【手続補正５】
【補正対象書類名】明細書
【補正対象項目名】０００９
【補正方法】変更
【補正の内容】
【０００９】
また、本発明に係る演出部材用の台座においては、前記各脚部材は、前記脚部の突出長さが異なる複数種類から選択的に組み合わせられるようにしてもよい。また、本発明に係る演出部材用の台座においては、前記演出部材は、複数種類から選択されて前記支持部に支持されるようにしてもよい。
【手続補正６】
【補正対象書類名】明細書
【補正対象項目名】００１１
【補正方法】変更
【補正の内容】
【００１１】
また、本発明に係る演出部材用の台座においては、前記脚部材、前記各支持棒及び前記各支持部材のいずれかは、無色透明であってもよい。また、本発明に係る演出部材用の台座においては、前記各支持棒及び前記各支持部のいずれかは、無色透明であるようにしてもよい。